(57)【特許請求の範囲】
【請求項１】
コンロ本体の前面パネルに開設した透孔を通して前面パネルの前方に出没自在な操作盤を備えるコンロにおいて、
操作盤の上面は、前部が後部より低い段付き面に形成され、操作盤の上面前部に、コンロの熱源のオンオフ操作及び加熱量の調節を行う操作摘みが配置されると共に、
操作盤の前端面の前側に操作盤に連動して前後方向に動く前カバーが設けられ、前カバーは、操作盤がコンロ本体内の没入位置に存するときに操作盤の前端面を操作盤の上面前部と透孔の上縁との間に生ずる隙間を含めて前方から覆うように形成され、且つ、前カバーは操作盤に対し上下動自在であって、操作盤が前面パネルの前方の突出位置に存するときに、前カバーの上縁が操作盤の上面前部と同等高さ又はこれより低くなる位置に前カバーが変位することを特徴とするコンロ。
【請求項２】
前記前カバーは、後方にのびるレバー部を介して前記操作盤に上下方向に移動自在に支持され、操作盤が前記前面パネルの前方に突出したときに、前カバーが自重で下方に変位することを特徴とする請求項１記載のコンロ。
【請求項３】
前記コンロ本体内に、前記前面パネルの前記透孔に臨ませて、前記操作盤を前後方向に移動自在に収納する収納箱が配置され、操作盤が収納箱に対する前方への移動で透孔を通して前面パネルの前方に突出することを特徴とする請求項１又は２記載のコンロ。
【請求項４】
請求項３記載のコンロであって、前記コンロ本体の前面部分に前記前面パネルを取付けるパネル取付け部材が設けられるものにおいて、パネル取付け部材に前記収納箱が一体に設けられていることを特徴とするコンロ。
【請求項５】
前記コンロ本体内に、前記前面パネルの前記透孔より下方に位置する下端の軸部を支点にして前後方向に揺動する揺動枠が設けられ、この揺動枠に前記操作盤の後端部が連結され、揺動枠の揺動により操作盤が透孔を通して前面パネルの前方に出没することを特徴とする請求項１又は２記載のコンロ。
【請求項６】
請求項５記載のコンロであって、前記コンロ本体の前面部分に前記前面パネルを取付けるパネル取付け部材が設けられるものにおいて、パネル取付け部材に、前記揺動枠の下端の前記軸部を軸支する軸受部が一体に設けられていることを特徴とするコンロ。
【発明の詳細な説明】
【技術分野】
【０００１】
本発明は、コンロ本体の前面パネルの前方に出没自在な操作盤を備えるコンロに関する。
【背景技術】
【０００２】
従来、温調機能や調理タイマ機能等の各種機能を有するコンロとして、コンロ本体の前面パネルの上部にコンロの熱源のオンオフ操作及び加熱量の調節を行う操作摘みを配置すると共に、操作摘みの配置部の下側の前面パネルの部分を切欠いて、この切欠き部に、下端の軸部を支点にして前後方向に揺動自在な側面視扇形の可動体を配置し、可動体の上面に各種機能の選択や設定を行う各種機能スイッチと表示部とを有する操作盤を取付け、可動体を前方に揺動させることにより操作盤を前面パネルの前方に突出させて、機能スイッチを操作できるようにしたものが知られている(例えば、特許文献１参照)。
【０００３】
このものでは、可動体を後方に揺動させてコンロ本体に没入させることにより、操作盤が外観に現われなくなり、コンロ前面がスッキリとする。ところで、上記従来例のものでは、可動体を前方に揺動突出させて操作盤を広く露出させるために、操作盤から可動体の下端の揺動支点までの距離、即ち、可動体の高さ寸法を大きくする必要がある。その結果、操作盤の露出時に前面パネルの前方に突出する操作盤以外の可動体の部分が目立つようになり、体裁を損なう。
【０００４】
かかる不具合を解消するため、コンロ本体の前面パネルに操作盤に対応する大きさの透孔を開設すると共に、コンロ本体内に透孔に臨む収納箱を配置して、操作盤を収納箱に前後方向に移動自在に収納し、収納箱に対する操作盤の前方への移動で操作盤を透孔を通して前面パネルの前方に突出させるようにしたものも知られている(例えば、特許文献２参照)。これによれば、操作盤のみが前面パネルの前方に突出することになり、体裁が良好になる。
【特許文献１】特開２００４−２６３９０３号公報
【特許文献２】特開２００５−１９５２６０号公報
【発明の開示】
【発明が解決しようとする課題】
【０００５】
ところで、上記特許文献２に記載のものにおいて、コンロ前面のスッキリ感を可及的に高めるには、コンロの熱源のオンオフ操作及び加熱量の調節を行う操作摘みをコンロ本体の前面から除去することが望まれる。ここで、操作盤の上面に機能スイッチと同様のキータイプのスイッチを配置し、このスイッチで熱源のオンオフ操作及び加熱量の調節を行うことも考えられるが、誤操作を防止するには、熱源のオンオフ操作及び加熱量の調節という基本的な操作は従来通り操作摘みを用いて行わせることが望まれる。従って、コンロの熱源のオンオフ操作及び加熱量の調節を行う操作摘みをコンロ本体の前面から除去するには、この操作摘みを操作盤の上面に配置することが必要になる。この場合、操作摘みは、これを指で掴むことができるように、操作盤の上面から突出するように配置されることになり、このままでは、操作摘みが前面パネルの透孔の上縁に干渉して、操作盤をコンロ本体内に没入できなくなる。その対策として、操作盤の上面と透孔の上縁との間に操作摘みの突出高さ以上の隙間が空くように操作盤と透孔の上下寸法を設定することも考えられるが、これでは、操作盤の没入時に、操作盤の上面と透孔の上縁との間の隙間が外観に現われて体裁を損なう。
【０００６】
本発明は、以上の点に鑑み、上記特許文献２に記載のものを改良し、コンロの熱源のオンオフ操作及び加熱量の調節を行う操作摘みを操作盤の上面に配置して、コンロ前面のスッキリ感を可及的に高めると共に、コンロ本体内に操作盤を支障なく没入できるようにし、且つ、体裁も良好に維持できるようにしたコンロを提供することをその課題としている。
【課題を解決するための手段】
【０００７】
上記課題を解決するために、本発明は、コンロ本体の前面パネルに開設した透孔を通して前面パネルの前方に出没自在な操作盤を備えるコンロにおいて、操作盤の上面は、前部が後部より低い段付き面に形成され、操作盤の上面前部に、コンロの熱源のオンオフ操作及び加熱量の調節を行う操作摘みが配置されると共に、操作盤の前端面の前側に操作盤に連動して前後方向に動く前カバーが設けられ、前カバーは、操作盤がコンロ本体内の没入位置に存するときに操作盤の前端面を操作盤の上面前部と透孔の上縁との間に生ずる隙間を含めて前方から覆うように形成され、且つ、前カバーは操作盤に対し上下動自在であって、操作盤が前面パネルの前方の突出位置に存するときに、前カバーの上縁が操作盤の上面前部と同等高さ又はこれより低くなる位置に前カバーが変位することを特徴とする。
【０００８】
本発明によれば、熱源のオンオフ操作及び加熱量の調節を行う操作摘みを操作盤に配置することで、コンロ前面のスッキリ感が可及的に高められる。ここで、操作摘みは操作盤の上面から上方に突出するが、本発明では、操作盤の上面後部より低い操作盤の上面前部に操作摘みを配置しているため、透孔の上縁への操作摘みの干渉を生ずることなく操作盤をコンロ本体内に没入できる。また、操作盤が没入位置に存するとき、操作盤の上面前部と透孔の上縁との間に生ずる隙間は前カバーで覆われて外観には現われず、体裁が良好に保たれる。
【０００９】
尚、操作盤の前端部に、操作盤の上面前部より上方に立上るカバー部を一体に形成し、操作盤の上面前部と透孔の上縁との間に生ずる隙間をこのカバー部で覆うことも考えられる。然し、これでは、操作盤を前面パネルの前方に突出させて操作摘みを操作する際、カバー部に指が当って操作摘みの操作性が悪くなる。これに対し、本発明では、操作盤が突出位置に存するときは、前カバーが下方に変位してその上縁が操作盤の上面前部と同等高さ又はこれより低くなるため、操作摘みを操作する際に指が前カバーに当たることはなく、操作性が良好になる。
【００１０】
また、操作盤の上面後部を上面前部と同様に低く形成することも考えられるが、これでは、操作盤の上面後部と透孔の上縁との間に大きな隙間を生じ、操作盤が突出位置に存するときに、この隙間が外観に現われ、体裁を損なう。これに対し、本発明では、操作盤の上面後部を上面前部より高く形成するため、操作盤の上面後部と透孔の上縁との間に生ずる隙間を小さくでき、体裁が良好に保たれる。
【００１１】
また、操作盤が前面パネルの前方に突出したときに、前カバーをカム機構やリンク機構を用いて下方に変位させることも考えられるが、これではコストが高くなる。これに対し、前カバーを、後方にのびるレバー部を介して操作盤に上下方向に移動自在に支持し、操作盤が前面パネルの前方に突出したとき、前カバーが自重で下方に変位するようにすれば、前カバーを下方に変位させるための特別の機構が不要になり、コストダウンを図る上で有利である。
【００１２】
ところで、前面パネルの透孔を通して操作盤を前面パネルの前方に出没させるには、コンロ本体内に、前面パネルの透孔に臨ませて、操作盤を前後方向に移動自在に収納する収納箱を配置し、操作盤が収納箱に対する前方への移動で透孔を通して前面パネルの前方に突出するように構成すれば良い。
【００１３】
このものにおいて、コンロ本体の前面部分に前面パネルを取付けるパネル取付け部材が設けられている場合には、パネル取付け部材に収納箱が一体に設けられていることが望ましい。これによれば、前面パネルがパネル取付け部材を介してこれと一体の収納箱に対し正確に位置決めされることになる。従って、収納箱に収納される操作盤及びその前カバーと前面パネルとの間の位置精度も確保される。その結果、操作盤が没入位置に存するときに、前カバーがその周囲に均等なクリアランスを存した状態で前面パネルの透孔に収まるようになる。そのため、前カバーの周縁と透孔との間のクリアランスが不均一になって体裁を損なうことを防止できる。
【００１４】
尚、上記の如く操作盤用の収納箱を設けるものでは、操作盤が収納箱に対し摺動するため、ある程度使用すると、操作盤と収納箱との摺動部の摩耗やこじりにより操作盤がスムーズに動かなくなる可能性がある。これに対し、コンロ本体内に、前面パネルの透孔より下方に位置する下端の軸部を支点にして前後方向に揺動する揺動枠が設けられ、この揺動枠に操作盤の後端部が連結され、揺動枠の揺動により操作盤が透孔を通して前面パネルの前方に出没するように構成されていれば、操作盤は揺動枠の下端の軸部を支点した円弧運動で出没動作することになり、摺動部の摩耗やこじりで操作盤の動きが妨げられることがない。従って、操作盤の出没動作の円滑性が長期に亘って確保され、耐久性が向上する。
【００１５】
このものにおいて、コンロ本体の前面部分に前面パネルを取付けるパネル取付け部材が設けられている場合には、パネル取付け部材に、揺動枠の下端の軸部を軸支する軸受部が一体に設けられていることが望ましい。これによれば、揺動枠の軸部とパネル取付け部材との間の位置精度が確保され、揺動枠に連結する操作盤及び前カバーとパネル取付け部材に取付ける前面パネルとの間の位置精度も確保される。その結果、操作盤が没入位置に存するときに、前カバーがその周囲に均等なクリアランスを存した状態で前面パネルの透孔に収まるようになり、前カバーの周縁と透孔との間のクリアランスが不均一になって体裁を損なうことを防止できる。
【発明を実施するための最良の形態】
【００１６】
図１は、システムキッチンのカウンタトップＣＴ(図２参照)に組み込むドロップイン式ガスコンロを示している。このコンロは、上面を開放面とする箱形のコンロ本体１を備えている。コンロ本体１の上縁には、図２に示す如く、外曲げフランジ１ａが形成されており、コンロ本体１をカウンタトップＣＴに開設したコンロ開口ＣＴａに落とし込んだ状態で、外曲げフランジ１ａをコンロ開口ＣＴａの開口縁部に掛止して、コンロ本体１をカウンタトップＣＴに吊持させている。そして、カウンタトップＣＴ上に載置する天板２によりコンロ本体１を外曲げフランジ１ａに亘って上方から覆うようにしている。
【００１７】
コンロ本体１には、前側の左右２個と後側の１個の計３個のコンロバーナ３が配置されると共に、グリル４が内蔵されている。そして、天板２に、これら各コンロバーナ３を臨ませる開口を形成して、各開口を囲うように五徳５を載置すると共に、天板２の後部に、グリル４用の排気口２ａを形成している。尚、各コンロバーナ３には、その内周空間に位置させて、五徳５上の調理容器の底面に当接してその温度を検出する鍋底温度センサ３ａが付設されている。また、図示しないが、コンロの熱源たる各コンロバーナ３とグリル４に設けるグリルバーナ(図示せず)に対する各ガス通路には電動バルブが介設されており、コンロ本体１内のコントローラが後述する操作盤７Ｌ，７Ｒからの信号に応じて各電動バルブを制御し、これら各バーナの点消火と火力調節が行われる。
【００１８】
カウンタトップＣＴの下側で前方に露出するコンロ本体１の前面部分には、横方向中間に位置させてグリル扉４ａが配置され、また、グリル扉４ａの横方向両側に位置させて左右一対の前面パネル６Ｌ，６Ｒが配置されている。尚、グリル扉４ａは、コンロ本体１の横方向中央部から左側に偏倚しており、右側の前面パネル６Ｒの方が左側の前面パネル６Ｌより横方向長さが長くなっている。
【００１９】
各前面パネル６Ｌ，６Ｒには横長の透孔６ｈが開設されている。そして、図３に示す如く、右側の前面パネル６Ｒの透孔６ｈを通して該前面パネル６Ｒの前方に出没自在な右側の操作盤７Ｒと、左側の前面パネル６Ｌの透孔６ｈを通して該前面パネル６Ｌの前方に出没自在な左側の操作盤７Ｌとが設けられている。各操作盤７Ｌ，７Ｒは、コンロ本体１内に各前面パネル６Ｌ，６Ｒの透孔６ｈに臨むように配置した各収納箱８Ｌ，８Ｒに前後方向に移動自在に収納されている。各操作盤７Ｌ，７Ｒについては後で詳述する。
【００２０】
左右の前面パネル６Ｌ，６Ｒは、図２、図４に示す如く、コンロ本体１の前面のグリル扉４ａの横方向両側の部分に設けた左右一対のパネル取付け部材９Ｌ，９Ｒに取付けられている。各パネル取付け部材９Ｌ，９Ｒは、樹脂製の前板９１とその背面に積層した金属製の裏板９２とで構成され、裏板９２を介してコンロ本体１に取付けられている。そして、各パネル取付け部材９Ｌ，９Ｒに各収納箱８Ｌ，８Ｒが一体に設けられている。より具体的には、各パネル取付け部材９Ｌ，９Ｒの前板９１に各収納箱８Ｌ，８Ｒが一体成形されている。
【００２１】
各前面パネル６Ｌ，６Ｒには、コンロ本体１よりも横方向外方に張り出すエンドピース部６ａが一体に形成されている。そして、コンロ本体１をコンロ開口ＣＴａに落とし込むようにしてカウンタトップＣＴに設置した後に、各前面パネル６Ｌ，６Ｒを各パネル取付け部材９Ｌ，９Ｒに取付け、カウンタトップＣＴの下に確保するコンロ設置空間の左右の各側面とコンロ本体１の左右の各外側面との間に生ずる隙間をエンドピース部６ａで目隠しできるようにしている。
【００２２】
各前面パネル６Ｌ，６Ｒは、アルミニウム等の金属の押し出し成形品で構成されている。そして、各前面パネル６Ｌ，６Ｒの上縁と下縁とに、夫々、各パネル取付け部材９Ｌ，９Ｒの上縁と下縁とに重なる後方への延出部６ｂが押し出し成形で形成されている。また、各パネル取付け部材９Ｌ，９Ｒの上縁と下縁とに、グリル扉４ａ側の端部に位置する上下方向の突起９ａが設けられると共に、各前面パネル６Ｌ，６Ｒの上縁と下縁の各延出部６ａのグリル扉４ａ側の端縁に切欠き部６ｃが形成され、各切欠き部６ｃを各パネル取付け部材９Ｌ，９Ｒの上縁と下縁の各突起９ａに係合させることで、各前面パネル６Ｌ，６Ｒが、図４に示す如く、各パネル取付け部材９Ｌ，９Ｒに対し突起９ａを支点にして前後方向に揺動自在となるようにしている。
【００２３】
各前面パネル６Ｌ，６Ｒのエンドピース部６ａの裏面には、後方にのびる舌片状の雄型係合部６ｅを有する樹脂製の連結部材６ｄが固定され、また、各パネル取付け部材９Ｌ，９Ｒの横方向の外側面には、裏板９２のブリッジ状の切起し部で構成される雌型係合部９ｂが形成され、図５に示す如く、雄型係合部６ｅを雌型係合部９ｂに前方から挿入可能としている。そして、雌型係合部９ｂに雄型係合部６ｅを挿入することで雄型係合部６ｅが横方向内方に押されると共に、雄型係合部６ｅの外側面の先端側の段部６ｆが雌型係合部９ｂの後縁に係合して、雌型係合部９ｂに対し雄型係合部６ｅが抜け止めされるようにしている。
【００２４】
前面パネル６Ｌ，６Ｒの取付けに際しては、先ず、前面パネル６Ｌ，６Ｒの上下各縁の延出部６ｂの切欠き部６ｃをパネル取付け部材９Ｌ，９Ｒの上下各縁の突起９ａに係合させる。次に、突起９ａを支点にして前面パネル６Ｌ，６Ｒを後方に揺動させ、雄型係合部６ｅを雌型係合部９ｂに挿入する。これによれば、雌型係合部９ｂにより雄型係合部６ｅが横方向内方に押されるため、突起９ａを基準にして前面パネル６Ｌ，６Ｒが横方向に正確に位置決めされ、また、前面パネル６Ｌ，６Ｒの上下各縁の延出部６ｂがパネル取付け部材９Ｌ，９Ｒの上下の各縁に重なることで、前面パネル６Ｌ，６Ｒが上下方向にも正確に位置決めされ、更に、突起９ａに対する切欠き部６ｃの係合及び雌型係合部９ｂに対する雄型係合部６ｅの係合により前面パネル６Ｌ，６Ｒは前後方向にも位置決めされ、この状態でしっかりとパネル取付け部材９Ｌ，９Ｒに取付けられる。
【００２５】
ここで、前面パネル６Ｌ，６Ｒの上下各縁の延出部６ｂに形成した切欠き部６ｃの突起９ａへの係合は、該各延出部６ｂのグリル扉４ａ側の端部をパネル取付け部材９Ｌ，９Ｒの上下の各縁部に重ねた状態で該各縁部をガイドにして各延出部６ｂをスライドさせることにより容易に行うことができる。その後、前面パネル６Ｌ，６Ｒを後方に揺動するだけで前面パネル６Ｌ，６Ｒの取付けを行うことができるため、前面パネル６Ｌ，６Ｒの取付け作業は非常に簡単になる。また、前面パネル６Ｌ，６Ｒの取付けに際し、前面パネル６Ｌ，６Ｒを横方向内方にずらす必要がないため、エンドピース部６ａとコンロ設置空間の側面との間に隙間が空くことも防止できる。
【００２６】
また、本実施形態では、前面パネル６Ｌ，６Ｒが金属の押し出し成形品で構成されるため、金属板のプレス成形品や樹脂成形品から成る前面パネルに比し重厚且つ流麗で高級感を醸し出すことができる。加えて、前面パネル６Ｌ，６Ｒの上下各縁の延出部６ｂを押し出し成形により高精度で形成できるため、前面パネル６Ｌ，６Ｒの位置決め精度が向上し、更に、前面パネル６Ｌ，６Ｒの剛性が高くなり、前面パネル６Ｌ，６Ｒの横方向中間部にパネル取付け部材９Ｌ，９Ｒに対する係合部がなくても、前面パネル６Ｌ，６Ｒをその中間部の浮きを生ずることなくパネル取付け部材９Ｌ，９Ｒに確実に取付けることができる。
【００２７】
尚、本実施形態では、各パネル取付け部材９Ｌ，９Ｒの上下の各縁の後部に段部９ｃ(図２参照)を形成し、各パネル取付け部材９Ｌ，９Ｒに上記の如く各前面パネル６Ｌ，６Ｒを取付けたとき、各前面パネル６Ｌ，６Ｒの裏面と各パネル取付け部材９Ｌ，９Ｒの前面との間に隙間を空けた状態で、各前面パネル６Ｌ，６Ｒの上下の各延出部６ｂの後縁が段部９ｃに当接するようにしている。かくして、前面パネル６Ｌ，６Ｒの裏面とパネル取付け部材９Ｌ，９Ｒの前面との間の隙間が断熱空間となり、グリル４からの熱がパネル取付け部材９Ｌ，９Ｒを介して前面パネル６Ｌ，６Ｒに伝わることを抑制できる。
【００２８】
更に、本実施形態では、各前面パネル６Ｌ，６Ｒの裏面に、図２、図４に示す如く、上下各縁の延出部６ｂに加えて、複数の突条６ｇを押し出し成形で形成し、前面パネル６Ｌ，６Ｒの剛性アップを図っている。尚、本実施形態では、突条６ｇがパネル取付け部材９Ｌ，９Ｒの前面に接するようにしているが、突条６ｇはパネル取付け部材９Ｌ，９Ｒの前面に対し非接触であっても良い。
【００２９】
各操作盤７Ｌ，７Ｒは、常時は各収納箱８Ｌ，８Ｒに完全に収納されるコンロ本体１内の没入位置(図１、図２に示す位置)に図示省略した係止機構で係止される。そして、各操作盤７Ｌ，７Ｒを後方に軽く押すと係止機構による係止が解かれ、各操作盤７Ｌ，７Ｒが各収納箱８Ｌ，８Ｒ内に設けた付勢機構(図示せず)により各収納箱８Ｌ，８Ｒに対し前方に移動し、各前面パネル６Ｌ，６Ｒの透孔６ｈを通して該各前面パネル６Ｌ，６Ｒの前方の突出位置に突出する。尚、各収納箱８Ｌ，８Ｒは、図２に示す如く、若干前下がりに傾斜しており、各操作盤７Ｌ，７Ｒも若干前下がりに傾斜した姿勢で各前面パネル６Ｌ，６Ｒの前方に突出する。
【００３０】
ここで、右側の操作盤７Ｒは左右と後部の３個のコンロバーナ３用の操作盤であり、左側の操作盤７Ｌはグリルバーナ用の操作盤である。各操作盤７Ｌ，７Ｒの上面は、図２、図３に示されているように、前部７ａが後部７ｂより低い段付き面に形成されている。そして、右側の操作盤７Ｒの上面前部７ａに、３個のコンロバーナ３の夫々のオンオフ操作(点消火操作)及び加熱量の調節(火力調節)を行う３個の操作摘み７１を配置すると共に、各操作摘み７１の近傍に温調機能や調理タイマ機能といった各種機能の選択や設定を行うキータイプの機能スイッチ７２を配置し、右側の操作盤７Ｒの上面後部７ｂに、各コンロバーナ３の火力、選択された機能、タイマの残り時間等を表示する液晶式の表示部７３を配置している。また、左側の操作盤７Ｌの上面前部７ａに、グリルバーナのオンオフ操作(点消火操作)及び加熱量の調節(火力調節)を行う操作摘み７１と、グリルの各種機能の選択や設定を行うキータイプの機能スイッチ７２とを配置し、左側の操作盤７Ｌの上面後部７ｂに、グリルバーナの火力、選択された機能、タイマの残り時間等を表示する液晶式の表示部７３と、レンジフードの照明のオンオフ、換気のオンオフ、風量の切換を行うレンジフード用の３個の押しボタン式スイッチ７２´とを配置している。尚、機能スイッチ７２は、各操作盤７Ｌ，７Ｒの上面後部７ｂに配置しても良い。何れにしても、操作盤７Ｌ，７Ｒに機能スイッチ７２に加えてバーナの点消火操作及び火力調節を行う操作摘み７１を配置することにより、前面パネル６Ｌ，６Ｒには、操作部材が一切配置されなくなり、コンロ前面がスッキリして体裁が良くなる。
【００３１】
各操作摘み７１は、プッシュプッシュ機構(図示せず)により操作盤７Ｌ，７Ｒの上面に出没自在である。そして、各操作摘み７１を１回目の押し操作で上方に突出させたとき、対応するバーナに点火され、各操作摘み７１を突出状態で回転することにより対応するバーナの火力調節が行われ、各操作摘み７１を２回目の押し操作で下方に没入させたとき、対応するバーナが消火される。操作摘み７１を上方に突出させて対応するバーナに点火すると共に、操作摘み７１の回転でバーナの火力を調節した後、操作盤７Ｌ，７Ｒをコンロ本体１内に没入させれば、コンロの前側でユーザが動く際に操作盤７Ｌ，７Ｒが邪魔になることはない。この場合、突出状態の操作摘み７１が透孔６ｈの上縁に干渉すると、操作盤７Ｌ，７Ｒをコンロ本体１内に没入できなくなるが、操作摘み７１は操作盤７Ｌ，７Ｒの上面後部７ｂより低い上面前部７ａに配置されるため、透孔６ｈの上縁への操作摘み７１の干渉を生ずることなく操作盤７Ｌ，７Ｒをコンロ本体１内に没入できる。尚、操作摘み７１を下方に没入不能とし、操作摘み７１の回転だけでバーナの点消火と火力調節とを行うように構成することも可能である。
【００３２】
各操作盤７Ｌ，７Ｒの前端面の前側には、各操作盤７Ｌ，７Ｒに連動して前後方向に動く前カバー７４が設けられている。前カバー７４は、図２に示す如く、各操作盤７Ｌ，７Ｒが没入位置に存するときに、各操作盤７Ｌ，７Ｒの前端面を該各操作盤７Ｌ，７Ｒの上面前部７ａと透孔６ｈの上縁との間に生ずる隙間を含めて前方から覆うように形成されている。従って、該各操作盤７Ｌ，７Ｒの上面前部７ａを低く形成することで、これと透孔６ｈの上縁との間の隙間が大きくなっても、各操作盤７Ｌ，７Ｒが没入位置に存するとき、この隙間は前カバー７４で目隠しされ、体裁を損なうことはない。
【００３３】
尚、各操作盤７Ｌ，７Ｒの上面後部７ｂを上面前部７ａと同様に低くすると、上面後部７ｂと透孔６ｈの上縁との間の隙間が大きくなり、操作盤７Ｌ，７Ｒが突出位置に存するときにこの隙間が外観に現われて体裁を損なう。一方、本実施形態では、各操作盤７Ｌ，７Ｒの上面後部７ｂが上面前部７ａより高くなっているため、上面後部７ｂと透孔６ｈの上縁との間の隙間が小さくなる。従って、操作盤７Ｌ，７Ｒが突出位置に存するときにこの隙間が外観に現われても然程目立たず、体裁を損なうことはない。
【００３４】
また、前カバー７４は、図２、図３に示す如く、各操作盤７Ｌ，７Ｒの外側面に沿って後方にのびるレバー部７４ａを備えており、レバー部７４ａの後端部を各操作盤７Ｌ，７Ｒの外側面の後部に支軸７４ｂを介して軸着している。かくして、前カバー７４は、レバー部７４ａを介して各操作盤７Ｌ，７Ｒに上下方向に移動自在に支持される。尚、各収納箱８Ｌ，８Ｒの側壁には、図３、図４に示す如く、支軸７４ｂを案内する前後方向に長手のスリット８ａが形成されている。
【００３５】
各操作盤７Ｌ，７Ｒが各前面パネル６Ｌ，６Ｒの前方に突出する際、前カバー７４は支軸７４ｂを支点にしたレバー部７４ａの揺動により自重で下方に変位する。そして、各操作盤７Ｌ，７Ｒが突出位置に到達したときは、図２に仮想線で示す如く、前カバー７４の上縁が操作盤７Ｌ，７Ｒの上面前部７ａと同等高さになる位置に前カバー７４が変位する。従って、操作摘み７１を操作する際に指が前カバー７４に当たることを防止でき、操作摘み７１の操作性は前カバー７４を設けても良好に維持される。
【００３６】
尚、各操作盤７Ｌ，７Ｒが突出位置に存するときに、前カバー７４の上縁が操作盤７Ｌ，７Ｒの上面前部７ａより低くなる位置まで前カバー７４が変位するようにしても良い。また、各操作盤７Ｌ，７Ｒが各前面パネル６Ｌ，６Ｒの前方に突出したときに、前カバー７４をカム機構やリンク機構を用いて下方に変位させることも可能であるが、本実施形態の如く前カバー７４が自重で下方に変位するように構成すれば、前カバー７４を上下方向に変位させる特別の機構が不要になり、コストダウンを図る上で有利である。
【００３７】
各操作盤７Ｌ，７Ｒが没入位置に存するときは、前カバー７４が各前面パネル６Ｌ，６Ｒの透孔６ｈに入り込む。この場合、前カバー７４の周縁と透孔６ｈとの間のクリアランスが不均一になると体裁を損なう。ここで、本実施形態では、各前面パネル６Ｌ，６Ｒを取付ける各パネル取付け部材９Ｌ，９Ｒに各収納箱８Ｌ，８Ｒが一体に設けられているため、各前面パネル６Ｌ，６Ｒが各収納箱８Ｌ，８Ｒに対し正確に位置決めされることになる。従って、各収納箱８Ｌ，８Ｒに収納される操作盤７Ｌ，７Ｒ及びその前カバー７４と各前面パネル６Ｌ，６Ｒとの間の位置精度も確保される。その結果、前カバー７４がその周囲に均等なクリアランスを存した状態で各前面パネル６Ｌ，６Ｒの透孔６ｈに収まるようになり、体裁を損なうことはない。
【００３８】
尚、各パネル取付け部材９Ｌ，９Ｒを省略し、コンロ本体１の前面部分に各前面パネル６Ｌ，６Ｒを直接取付ける場合には、各前面パネル６Ｌ，６Ｒの背面に各収納箱８Ｌ，８Ｒを一体に設けることが望ましい。
【００３９】
ところで、コンロバーナ３やグリルバーナを消火する際は、コンロ本体１内に没入させた操作盤７Ｌ，７Ｒを再度突出させて操作摘み７１を操作する必要がある。吹き零れ等を生じて緊急に消火したい場合もあることを考慮すると、天板２に各バーナに対応するタッチスイッチ等のスイッチを設け、このスイッチの操作でもバーナを消火できるようすることが望ましい。
【００４０】
次に、図６、図７に示す第２実施形態について説明する。第２実施形態において、上記第１実施形態と同様の部材には上記と同一の符号を付している。第２実施形態では、コンロ本体１内に各パネル取付け部材９Ｌ，９Ｒの背面側に位置させて各揺動枠１０Ｌ，１０Ｒを設け、各揺動枠１０Ｌ，１０Ｒに各操作盤７Ｌ，７Ｒの後端部を連結している。各揺動枠１０Ｌ，１０Ｒは、各前面パネル６Ｌ，６Ｒの透孔６ｈより下方に位置する軸部１０１を支点にして前後方向に揺動自在であり、各揺動枠１０Ｌ，１０Ｒの揺動で各操作盤７Ｌ，７Ｒが透孔６ｈを通して各前面パネル６Ｌ，６Ｒの前方に出没する。
【００４１】
これを詳述するに、各パネル取付け部材９Ｌ，９Ｒに、その裏板９２の下端近傍部分を切起して左右一対のＵ字状の軸受部９３を一体に設け、この軸受部９３に各揺動枠１０Ｌ，１０Ｒの下端の左右両側部に設けた軸部１０１を回転自在に係合させている。かくして、各揺動枠１０Ｌ，１０Ｒは各パネル取付け部材９Ｌ，９Ｒに軸部１０１を介して前後方向に揺動自在に軸支される。
【００４２】
また、各揺動枠１０Ｌ，１０Ｒの上部の左右両側部に後方への切起し部１０２，１０３を形成し、一側の切起し部１０２と各パネル取付け部材９Ｌ，９Ｒの裏板９２との間に引張りばね１０４を張設すると共に、他側の切起し部１０３と裏板９２との間にダンパ１０５を架設している。更に、コンロ本体１内に、下端部がコンロ本体１の底板に締結されると共に、裏板９２にアーム部１１ａを介して連結されるブラケット１１を配置して、ブラケット１１の上端にプッシュプッシュ式の係合ユニット１２を取付けている。そして、各操作盤７Ｌ，７Ｒがコンロ本体１内に没入したとき、各操作盤７Ｌ，７Ｒの後端下部に設けた爪部１２ａが係合ユニット１２に係合して、各操作盤７Ｌ，７Ｒが没入位置にロックされるようにしている。
【００４３】
各パネル取付け部材９Ｌ，９Ｒの前板９１には、第１実施形態の収納箱８Ｌ，８Ｒに代えて、各前面パネル６Ｌ，６Ｒの透孔６ｈに臨む筒状の開口部９４が一体成形されている。そして、各操作盤７Ｌ，７Ｒを開口部９４に挿通し、開口部９４の後側で各操作盤７Ｌ，７Ｒの後端部を各揺動枠１０Ｌ，１０Ｒの上端部に連結している。
【００４４】
没入位置に存する各操作盤７Ｌ，７Ｒを前方から軽く押すと、係合ユニット１２によるロックが解除される。そして、各揺動枠１０Ｌ，１０Ｒが引張りばね１０４の付勢力とダンパ１０５による緩衝力とを受けて前方に緩やかに揺動し、図６に仮想線で示す如く、各操作盤７Ｌ，７Ｒが透孔６ｈを通して各前面パネル６Ｌ，６Ｒの前方に突出する。この際、各揺動枠１０Ｌ，１０Ｒは各前面パネル６Ｌ，６Ｒの背面側に位置して外観に現われず、体裁が良好に保たれる。また、各操作盤７Ｌ，７Ｒは各揺動枠１０Ｌ，１０Ｒの下端の軸部１０１を支点した円弧運動で出没動作することになる。そのため、第１実施形態のように各操作盤７Ｌ，７Ｒを各収納箱８Ｌ，８Ｒに対する摺動で出没させるものと異なり、摺動部の摩耗やこじりで操作盤７Ｌ，７Ｒの動きが妨げられることがなく、操作盤７Ｌ，７Ｒの出没動作の円滑性が長期に亘って確保され、耐久性が向上する。
【００４５】
第２実施形態の他の構成は第１実施形態と同様である。即ち、各操作盤７Ｌ，７Ｒの上面を、前部７ａが後部７ｂより低い段付き面に形成して、上面前部７ａにバーナの点消火操作及び火力調節を行う操作摘み７１を配置している。また、各操作盤７Ｌ，７Ｒの前端面の前側に前カバー７４を設け、前カバー７４を、後方にのびるレバー部７４ａを介して各操作盤７Ｌ，７Ｒに上下方向に移動自在に支持させている。そして、各操作盤７Ｌ，７Ｒが没入位置に存するときは、各操作盤７Ｌ，７Ｒの前端面が該各操作盤７Ｌ，７Ｒの上面前部７ａと透孔６ｈの上縁との間に生ずる隙間を含めて前カバー７４により前方から覆われ、また、各操作盤７Ｌ，７Ｒが突出位置に存するときは、各操作盤７Ｌ，７Ｒに対し前カバー７４が自重で下方に変位して、前カバー７４の上縁が各操作盤７Ｌ，７Ｒの上面前部７ａと同等高さ又はこれより低くなるようにしている。
【００４６】
尚、各揺動枠１０Ｌ，１０Ｒの下端の軸部１０１をコンロ本体１に形成した軸受部に軸支させることも可能である。然し、これでは、コンロ本体１に対する各パネル取付け部材９Ｌ，９Ｒの取付け公差等により、各パネル取付け部材９Ｌ，９Ｒに対し各揺動枠１０Ｌ，１０Ｒの軸部１０１が位置ずれし、各揺動枠１０Ｌ，１０Ｒに連結する各操作盤７Ｌ，７Ｒと各パネル取付け部材９Ｌ，９Ｒに取付ける各前面パネル６Ｌ，６Ｒとの間の位置精度を確保することが困難になる。その結果、各操作盤７Ｌ，７Ｒがコンロ本体１内に没入して、前カバー７４が各前面パネル６Ｌ，６Ｒの透孔６ｈに入り込んだときに、前カバー７４の周縁と透孔６ｈとの間のクリアランスが不均一になり易くなる。
【００４７】
一方、第２実施形態では、各揺動枠１０Ｌ，１０Ｒの下端の軸部１０１が各パネル取付け部材９Ｌ，９Ｒに一体に設けた軸受部９３に軸支されるため、軸部１０１とパネル各取付け部材９Ｌ，９Ｒとの間の位置精度が確保される。従って、各揺動枠１０Ｌ，１０Ｒに連結する各操作盤７Ｌ，７Ｒ及び前カバー７４と各パネル取付け部材９Ｌ，９Ｒに取付ける各前面パネル６Ｌ，６Ｒとの間の位置精度も確保される。その結果、各操作盤７Ｌ，７Ｒが没入位置に存するときに、前カバー７４がその周囲に均等なクリアランスを存した状態で各前面パネル６Ｌ，６Ｒの透孔６ｈに収まるようになり、前カバー７４の周縁と透孔６ｈとの間のクリアランスが不均一になって体裁を損なうことを防止できる。
【００４８】
尚、各パネル取付け部材９Ｌ，９Ｒを省略し、コンロ本体１の前面部分に各前面パネル６Ｌ，６Ｒを直接取付ける場合には、各前面パネル６Ｌ，６Ｒの背面に軸受部を一体に設けることが望ましい。
【００４９】
ところで、前カバー７４のレバー部７４ａがその後端の支軸７４ｂを支点にして下方に揺動すると、操作盤７Ｌ，７Ｒの前端面に対し前カバー７４が前傾し、このままでは、操作盤７Ｌ，７Ｒの前端面と前カバー７４との間の隙間が広がって体裁を損なう。そこで、操作盤７Ｌ，７Ｒの前端面と前カバー７４の操作盤７Ｌ，７Ｒに対向する背面部分をレバー部７４ａの後端の支軸７４ｂと同心の円弧状曲面に形成し、レバー部７４ａの下方への揺動で操作盤７Ｌ，７Ｒの前端面と前カバー７４との間の隙間が広がることを防止している。これは第１実施形態のものも同様である。
【００５０】
尚、上記第１、第２実施形態では、前カバー７４にレバー部７４ａが固定されているが、レバー部７４ａの前端部に前カバー７４を前後方向に傾動自在に軸着しても良い。この場合、前カバー７４を、レバー部７４ａとの軸着部より上方位置で操作盤７Ｌ，７Ｒに上下動自在に係合させれば、レバー部７４ａの下方への揺動に伴い前カバー７４が操作盤７Ｌ，７Ｒの前端面に対し前傾することなく下方に変位する。従って、操作盤７Ｌ，７Ｒの前端面と前カバー７４の操作盤７Ｌ，７Ｒに対向する背面部分を円弧状曲面に形成しなくても、レバー部７４ａの下方への揺動で操作盤７Ｌ，７Ｒの前端面と前カバー７４との間の隙間が広がることを防止できる。
【００５１】
以上、ドロップイン式ガスコンロに本発明を適用した実施形態について説明したが、ガスコンロ以外のコンロ、例えば熱源として電気ヒータを用いる電気コンロ、更には、熱源として電磁誘導コイルを用いるＩＨコンロにも同様に本発明を適用できる。また、本発明は、ドロップイン式コンロに限らず卓上式コンロにも適用できる。
【図面の簡単な説明】
【００５２】
【図１】本発明コンロの第１実施形態の全体斜視図。
【図２】図１のＩＩ−ＩＩ線で切断したコンロ前部の切断側面図。
【図３】第１実施形態のコンロ前部(コンロ本体は省略)の操作盤を突出させた状態の斜視図。
【図４】第１実施形態のコンロ前部(コンロ本体は省略)の前面パネル取付け作業中の状態を示す斜視図。
【図５】図１のＶ−Ｖ線で切断した前面パネル及びパネル取付け部材の側端部の切断平面図。
【図６】第２実施形態のコンロ前部の切断側面図。
【図７】第２実施形態のコンロ前部(コンロ本体は省略)の斜め後方から見た斜視図。
【符号の説明】
【００５３】
１…コンロ本体、３…コンロバーナ(熱源)、６Ｌ，６Ｒ…前面パネル、６ｈ…透孔、７Ｌ，７Ｒ…操作盤、７ａ…上面前部、７ｂ…上面後部、７１…操作摘み、７４…前カバー、７４ａ…レバー部、８Ｌ，８Ｒ…収納箱、９Ｌ，９Ｒ…パネル取付け部材、９３…軸受部、１０Ｌ，１０Ｒ…揺動枠、１０１…軸部。
【図１】
0004408111.tif 000002
【図２】
0004408111.tif 000003
【図３】
0004408111.tif 000004
【図４】
0004408111.tif 000005
【図５】
0004408111.tif 000006
【図６】
0004408111.tif 000007
【図７】
0004408111.tif 000008